(57)【特許請求の範囲】
【請求項１】
直方体状をなしこの直方体の二箇所の側面にそれぞれ出入口が設けられたかご室と、
このかご室に設けられて上記出入口をそれぞれ開閉する上下引き戸と、
上記かご室の床面に装備されて外周部に係合部が設けられた回転盤と、
上記上下引き戸の下縁部に設けられて、上記上下引き戸の全閉時に上記係合部に係合して上記回転盤の回転を阻止する阻止片とを備えたダムウェータのかご。
【請求項２】
少なくとも二方の側面にそれぞれ出入口が設けられたかご室と、
上記かご室の床面に装備されて回転し外周部に係合部が設けられた回転盤と、
上記各出入口に設けられ、上方移動して前記出入口を戸開し下方移動して前記出入口を戸閉する引き戸と、
上記引き戸の下縁部に設けられて、上記引き戸の全閉時に上記係合部に係合して上記回転盤の回転を阻止する阻止片とを備えたダムウェータのかご。
【発明の詳細な説明】
【０００１】
【発明の属する技術分野】
この発明は、昇降搬送する手押し車を、側面の二方に設けられた出入口を介してかご室に乗降させるダムウェータのかごに関する。
【０００２】
【従来の技術】
図４は、従来のダムウェータのかごを示す斜視図である。図において、１は直方体状をなすかご室、２はかご室１の床、３はかご室１の側面に設けられた第一出入口、４はかご室１の第一出入口３が設けられた側面に接続した他の側面に設けられた第二出入口、５はかご室１に設けられて第一出入口３を開閉する第一上下引き戸、６はかご室１に設けられて第二出入口４を開閉する第二上下引き戸、７はかご室１に搬入されて昇降搬送される手押し車、８は手押し車７の把手である。
【０００３】
従来のダムウェータのかごは上記のように構成され、例えば搬入階において第一出入口３の第一上下引き戸５を戸開して、手押し車７がかご室１の床２へ搬入される。次いで、ダムウェータが昇降運転されて到着階において、第二出入口４の第二上下引き戸６を戸開して手押し車７を搬出する手押し車７の昇降搬送が行われる。
【０００４】
【発明が解決しようとする課題】
上記のような従来のダムウェータのかごでは、手押し車７の搬入階と到着階とによってかご室１の出入口が相違する場合に、到着階の出入口において手押し車７の把手８が出入口から離れた位置に配置される。このため、把手８を把持することができず、手押し車７が搬出し難くなって煩雑な手数が掛かるという問題点があった。
【０００５】
この発明は、かかる問題点を解消するためになされたものであり、手押し車の搬入階と到着階とによってかご室での出入口が相違する場合に、容易に手押し車を搬出することができるダムウェータのかごを得ることを目的とする。
【０００６】
【課題を解決するための手段】
この発明に係るダムウェータのかごにおいては、直方体状をなしこの直方体の二箇所の側面にそれぞれ出入口が設けられたかご室と、このかご室に設けられて出入口をそれぞれに配置されて開閉動作する上下引き戸と、かご室の床面に装備されて外周部に係合部が設けられた回転盤と、上下引き戸の下縁部に設けられて上下引き戸の全閉時に回転盤の係合部に係合し、回転盤の回転を阻止する阻止片とが設けられる。
【０００７】
【発明の実施の形態】
実施の形態１．
図１〜図３は、この発明の実施の形態の一例を示す図であり、図１はダムウェータのかごを示す斜視図、図２は図１のかごにおける床の平面図、図３は図１のかごにおける床箇所の縦断面図である。図において、１は直方体状をなすかご室、２はかご室１の床、３はかご室１の側面に設けられた第一出入口、４はかご室１の第一出入口３が設けられた側面に接続した他の側面に設けられた第二出入口である。
【０００８】
５はかご室１に設けられて第一出入口３を開閉する第一上下引き戸、６はかご室１に設けられて第二出入口４を開閉する第二上下引き戸である。なお、詳細な説明を省略するが第一上下引き戸５及び第二上下引き戸６の両者を連動動作させて、一方の開閉操作によって他方も同じく開閉動作する開閉機構が設けられている。９は阻止片で、上記両者の下端部から下方にそれぞれ突設されている。
【０００９】
１０は回転盤で、床２の平面における中心位置に回転中心が設けられて、上面が床２面と一致して設けられ、また外周縁部から突出して設けられて図３に示すように床２面の下側に配置された外周部１１及び外周部１１に設けられて上下引き戸の阻止片９位置に対応して配置された貫通孔からなる係合部１２が設けられている。
【００１０】
１３は挿通孔で、床２面を貫通して設けられて上下引き戸の阻止片９位置に対応して配置されている。７はかご室１に搬入されて昇降搬送される手押し車、８は手押し車７の把手である。
【００１１】
上記のように構成されたダムウェータのかごにおいて、第一上下引き戸５及び第二上下引き戸６の両者の戸閉時には、阻止片９が下降して挿通孔１３に挿通されて係合部１２に嵌合される。これによって、回転盤１０の回転が阻止され、かごの昇降時に振動等によって回転盤１０が回転することによる不具合の発生が未然に防止される。
【００１２】
そして、例えば搬入階において第一出入口３の第一上下引き戸５を戸開して、手押し車７がかご室１の床２へ搬入され、第一上下引き戸５が戸閉されて阻止片９が下降し回転盤１０の回転が阻止される。次いで、ダムウェータが昇降運転されて手押し車７を搬送する手押し車７の昇降搬送が行われる。
【００１３】
そして、かごが到着階に到着すると、到着階の第二出入口４の第二上下引き戸６が戸開される。これにより、第二上下引き戸６の阻止片９が上昇し、また第一上下引き戸５も戸開してそれの阻止片９も上昇し、回転盤１０の回転阻止が解除される。次いで、到着階において回転盤１０を回転し、手押し車７の把手８を第二出入口４に正対する位置に回動する。
【００１４】
これによって、手押し車７の搬入階と到着階とによってかご室１の出入口が相違する場合に、到着階の出入口において手押し車７の把手８を容易に把持することができる。このため、手押し車７を短時間にかご室１から容易に搬出できて、手押し車７の搬送作業能率を向上し、またダムウェータの運転効率を向上することができる。
【００１５】
【発明の効果】
この発明は以上説明したように、直方体状をなしこの直方体の二箇所の側面にそれぞれ出入口が設けられたかご室と、このかご室に設けられて出入口をそれぞれ開閉する上下引き戸と、かご室の床面に装備されて外周部に係合部が設けられた回転盤と、上下引き戸の下縁部に設けられて、上下引き戸の全閉時に回転盤の係合部に係合して回転盤の回転を阻止する阻止片とを設けたものである。
【００１６】
このような構成によって、手押し車の搬入階と到着階とによって、手押し車のかご室に対する出入口が相違する場合に、到着階の出入口において回転盤を回転して、手押し車の把手が到着階の出入口に正対する位置に回動する。これによって、手押し車の把手を容易に把持することができ、手押し車を短時間にかご室から容易に搬出できて、手押し車の搬送作業能率を向上し、またダムウェータの運転効率を向上する効果がある。
【図面の簡単な説明】
【図１】  この発明の実施の形態１を示す図で、ダムウェータのかごを示す斜視図。
【図２】  図１のかごにおける床の平面図。
【図３】  図１のかごにおける床箇所の縦断面図。
【図４】  従来のダムウェータのかごを示す斜視図。
【符号の説明】
１  かご室、２  床、３  第一出入口（出入口）、４  第二出入口（出入口）、５  第一上下引き戸（上下引き戸）、６  第二上下引き戸（上下引き戸）、９阻止片、１０  回転盤、１１  外周部、１２  係合部。
【図１】
0004169939.tif 000002
【図２】
0004169939.tif 000003
【図３】
0004169939.tif 000004
【図４】
0004169939.tif 000005